(57)【要約】【課題】過去の点検作業者でなくとも過去からの継続した点検結果を視覚的に理解することで設備の状況を把握し、より適切な点検作業を行うことができる設備点検支援システムを提供する。【解決手段】本発明に係る設備点検支援システム１は、携帯端末５と、携帯端末５に対してデータの送受信を行うサーバ３とを備えたものであって、サーバ３は、サーバ側データ通信手段９と、サーバ側記憶手段１１と、利用者特定手段１３とを備え、携帯端末５は、携帯端末側データ通信手段２５と、携帯端末側記憶手段２７と、携帯端末側記憶手段２７から必要なデータを抽出する検索手段３１と、点検シート１５を表示し、前記点検作業者が点検結果を入力可能な点検シート表示・入力手段３３と、携帯端末側記憶手段２７に記憶されている点検結果データを抽出して、該点検結果の経時変化を示す経時変化グラフ３５を作成して表示する経時変化グラフ作成・表示手段３７とを備えている。【選択図】  図１
2020038543.tif 000002
【特許請求の範囲】
【請求項１】
設備点検を行う点検作業者が携帯可能な携帯端末と、該携帯端末に対してデータの送受信を行うサーバとを備えた設備点検支援システムであって、
前記サーバは、ネットワークを介して前記携帯端末とデータ通信を行うサーバ側データ通信手段と、設備点検に関する情報と点検結果を入力する点検シートに関するデータベースを保有するサーバ側記憶手段と、前記携帯端末からのログイン情報に基づいてシステム利用者を特定する利用者特定手段とを備え、
前記携帯端末は、ネットワークを介して前記サーバとデータ通信を行う携帯端末側データ通信手段と、前記サーバからダウンロードしたデータおよび入力されたデータを一時的に記憶する携帯端末側記憶手段と、該携帯端末側記憶手段に記憶されているデータベースから必要なデータを抽出する検索手段と、前記携帯端末側記憶手段に記憶されている点検シートを抽出して表示し、前記点検作業者が点検結果を入力可能な点検シート表示・入力手段と、予め設定した条件に基づいて、前記携帯端末側記憶手段に記憶されているサーバからダウンロードしたデータである点検結果データ、または、サーバからダウンロードしたデータおよび入力されたデータである点検結果データを抽出して、該点検結果の経時変化を示す経時変化グラフを作成して表示する経時変化グラフ作成・表示手段とを備えたことを特徴とする設備点検支援システム。
【請求項２】
前記経時変化グラフ作成・表示手段は、前記経時変化グラフに、前記予め設定された正常範囲を合わせて表示することを特徴とする請求項１に記載の設備点検支援システム。
【請求項３】
前記サーバは、点検シートごとに、点検シートのアップデート日時情報の最終ログと点検周期に基づいて次回点検日を計算し、各点検シートの点検周期を管理する点検シート周期管理手段を有し、
前記携帯端末は、点検シート一覧を表示する点検シート一覧表示手段を有し、該点検シート一覧表示手段は、前記点検シート周期管理手段の情報を取得し、各点検シートについて、ログインした日時から前記次回点検日までの残日数又は時間に基づいて色分けして表示する機能を有していることを特徴とする請求項１または２に記載の設備点検支援システム。
【請求項４】
前記経時変化グラフ作成・表示手段は、該点検シートに入力された点検結果が予め設定された正常範囲に含まれない場合、または前記次回点検日に正常範囲から逸脱すると予測される場合に、当該点検結果の経時変化グラフを作成して表示することを特徴とする請求項１乃至３のいずれか一項に記載の設備点検支援システム。
【発明の詳細な説明】
【技術分野】
【０００１】
本発明は、設備点検を行う点検作業者が携帯可能な携帯端末と、該携帯端末に対してデータの送受信を行うサーバとを備えた設備点検支援システムに関する。
【背景技術】
【０００２】
多数の機械設備が設置されている施設では、各設備の安定した運用を維持するため、設備管理担当者による点検が定期的に行われている。
点検の内容によって、毎日、２週間に１回、年に１回など、実施の周期が大きく異なることもあり、計画されている点検が定められた周期内に確かに行われていることを確認しながら運用していくことが求められる。
【０００３】
特許文献１では、それまで紙のチェックシートで行っていた、膨大な設備数かつ複雑な点検計画に基づいた点検作業を、点検関連情報を蓄積したデータベースを有するホストコンピュータと携帯端末を用いることにより、必要とされる労力や時間を削減した効率的な点検作業を可能とする設備点検作業支援システムが開示されている。
さらに特許文献２に開示される設備点検業務端末では、点検実施者が携帯する端末に点検時刻や点検設備位置などをダウンロードすることで、点検作業中に必要な情報を確認することができるとしている。
【先行技術文献】
【特許文献】
【０００４】
【特許文献１】特開２００６−４８５８４号公報
【特許文献２】特開２０１４−１０６７９８号公報
【発明の概要】
【発明が解決しようとする課題】
【０００５】
上述したように、携帯端末やホストコンピュータを活用することで点検作業の効率化が図られている。しかしながら、設備点検を行う管理部門には複数名の担当者が在籍することが多く、一つの点検において必ずしも点検実施者が毎回同じであるとは限らない。
そのため、ひとつの設備において、点検担当者が毎回異なる場合、過去の継続的な点検結果から想定される設備の状況に合わせた柔軟な点検を行うことは難しい。この点、特許文献２では、点検作業中に過去の点検履歴である計画ＩＤ、点検結果そのもの、登録時刻をダウンロードして点検作業者の携帯端末に表示させる方法が開示されている。しかし、点検作業中の限られた時間内で、数多く表示する点検結果のデータから瞬時に設備の経時変化まで読み取ることは難しい。
【０００６】
また、実施するべき点検が多数あるなかで、点検期日が差し迫ったもの、または過ぎてしまったものが含まれる場合もあり、当該点検者が前回の点検実施者であるなしに関わらず、優先的に実施すべき点検項目を把握することが求められる。この点、特許文献１では点検作業員が計画された点検スケジュールを確認することが可能だが、複数ある点検計画の中で、どれを優先的に実施すべきであるのかを把握するまでには至っていない。また、特許文献２では全く考慮されていない。
【０００７】
本発明はかかる課題を解決するためになされたものであり、過去の点検作業者でなくとも過去からの継続した点検結果を視覚的に瞬時に理解することで設備の状況を把握し、より適切な点検作業を行うことができる設備点検支援システムを提供することを目的としている。
また、過去の点検作業者でなくとも、優先的に実施すべき点検を客観的に知ることができる設備点検支援システムを提供することを目的としている。
【課題を解決するための手段】
【０００８】
（１）本発明に係る設備点検支援システムは、設備点検を行う点検作業者が携帯可能な携帯端末と、該携帯端末に対してデータの送受信を行うサーバとを備えた設備点検支援システムであって、
前記サーバは、ネットワークを介して前記携帯端末とデータ通信を行うサーバ側データ通信手段と、設備点検に関する情報と点検結果を入力する点検シートに関するデータベースを保有するサーバ側記憶手段と、前記携帯端末からのログイン情報に基づいてシステム利用者を特定する利用者特定手段とを備え、
前記携帯端末は、ネットワークを介して前記サーバとデータ通信を行う携帯端末側データ通信手段と、前記サーバからダウンロードしたデータおよび入力されたデータを一時的に記憶する携帯端末側記憶手段と、該携帯端末側記憶手段に記憶されているデータベースから必要なデータを抽出する検索手段と、前記携帯端末側記憶手段に記憶されている点検シートを抽出して表示し、前記点検作業者が点検結果を入力可能な点検シート表示・入力手段と、予め設定した条件に基づいて、前記携帯端末側記憶手段に記憶されているサーバからダウンロードしたデータである点検結果データ、または、サーバからダウンロードしたデータおよび入力されたデータである点検結果データを抽出して、該点検結果の経時変化を示す経時変化グラフを作成して表示する経時変化グラフ作成・表示手段とを備えたことを特徴とするものである。
【０００９】
（２）また、（１）に記載のものにおいて、前記経時変化グラフ作成・表示手段は、前記経時変化グラフに、前記予め設定された正常範囲を合わせて表示することを特徴とするものである。
【００１０】
（３）また、（１）または（２）に記載のものにおいて、前記サーバは、点検シートごとに、点検シートのアップデート日時情報の最終ログと点検周期に基づいて次回点検日を計算し、各点検シートの点検周期を管理する点検シート周期管理手段を有し、
前記携帯端末は、点検シート一覧を表示する点検シート一覧表示手段を有し、該点検シート一覧表示手段は、前記点検シート周期管理手段の情報を取得し、各点検シートについて、ログインした日時から前記次回点検日までの残日数又は時間に基づいて色分けして表示する機能を有していることを特徴とするものである。
【００１１】
（４）また、（１）乃至（３）のいずれかに記載のものにおいて、前記経時変化グラフ作成・表示手段は、該点検シートに入力された点検結果が予め設定された正常範囲に含まれない場合、または前記次回点検日に正常範囲から逸脱すると予測される場合に、当該点検結果の経時変化グラフを作成して表示することを特徴とするものである。
【発明の効果】
【００１２】
本発明に係る設備点検支援システムにおいては、点検作業者の携帯する携帯端末に、過去の点検結果の経時変化を示す経時変化グラフを表示するようにしたことで、過去の点検の担当者でなくとも、点検作業中に点検結果の傾向を把握することができる。
その結果、点検作業者の設備の状態に対する理解を助け、設備の状態に合わせた柔軟な点検が可能となる。また、異常傾向を早期にとらえることによって、設備故障を抑止する効果がある。
【図面の簡単な説明】
【００１３】
【図１】本発明の一実施の形態に係る設備点検支援システムの構成を説明する説明図である。
【図２】本発明の一実施の形態に係る携帯端末における点検シート一覧表示画面を示す図である。
【図３】本発明の一実施の形態に係る携帯端末における点検シート表示画面を示す図である。
【図４】本発明の一実施の形態に係る点検結果が数値で入力される点検項目の経時変化グラフの例である。
【図５】本発明の一実施の形態に係る点検結果が選択式で入力される点検項目の経時変化グラフの例である。
【図６】本発明の一実施の形態に係る携帯端末を使用した設備点検支援システムのフロー図である。
【図７】本発明の一実施の形態に係る管理用端末を使用した設備点検支援システムのフロー図である。
【発明を実施するための形態】
【００１４】
本実施の形態に係る設備点検支援システム１は図１に例を示すように、設備点検に関する情報と点検結果を入力する点検シートに関するデータベースを保有するサーバ３と、点検作業者が点検作業時に携帯し点検結果を入力する携帯端末５と、点検作業者または管理者が点検の実施状況を管理する管理用端末７により構成されている。
以下、各構成について詳細に説明する。
【００１５】
＜サーバ＞
サーバ３は、ネットワークを介して携帯端末５や管理用端末７とデータ通信を行うサーバ側データ通信手段９と、設備点検に関する情報を蓄積したデータベースを保有するサーバ側記憶手段１１と、携帯端末５からのログイン情報に基づいてシステム利用者を特定する利用者特定手段１３と、点検作業者が点検結果を入力する際に使用する点検シート１５の点検周期を管理する点検シート周期管理手段１７を備えている。
以下、サーバ３の各構成について説明する。
【００１６】
≪サーバ側データ通信手段≫
サーバ側データ通信手段９は、サーバ３が携帯端末５や管理用端末７とネットワークを介して行うデータ通信を制御するものである。
【００１７】
≪サーバ側記憶手段≫
サーバ側記憶手段１１は、設備点検に関する情報を蓄積したデータベース（ＤＢ）を保有しており、例えば図１に示すとおり、担当者データベース１１ａ、設備データベース１１ｂ、点検データベース１１ｃ、点検履歴データベース１１ｄ、点検結果データベース１１ｅを有している。なお、サーバ側記憶手段１１に記憶されるデータベースは、上記のデータベースに限定されるわけではない。
【００１８】
担当者データベース１１ａは、設備点検支援システム１を利用する点検作業者や点検管理者などの担当者情報を有している。担当者情報には例えば、設備点検支援システム１にログインするために必要なＩＤやパスワードなどが含まれる。
【００１９】
設備データベース１１ｂは、点検対象となりうる設備１９の詳細情報を有する。設備１９の詳細情報には例えば、設備１９の仕様や図面などが含まれる。
【００２０】
点検データベース１１ｃは、設備１９の点検計画に関する情報を有している。点検計画に関する情報には例えば、点検対象となる設備情報、点検を担当する担当者情報、点検の内容である点検項目情報、点検を実施する間隔である点検周期情報などが含まれる。
点検周期は、点検毎に定められた点検間隔のことであって、毎日実施することを求められる日常点検の場合は２４時間、月に一回実施することを求められる月例点検の場合は３０日などのように、点検実施から次回の点検実施までに許される最長の時間（日数）間隔のことである。
【００２１】
点検履歴データベース１１ｄは、点検の実施情報を有する。点検の実施情報には例えば、点検作業者が点検実施後に点検結果を入力した点検シート１５をサーバ３にアップロードした日時などが含まれる。各点検において、点検結果を最後にアップロードした日時を最終点検日時とみなし、事前に設定された点検の周期に基づいて、後述する点検シート周期管理手段１７にて次回点検日が計算される。
【００２２】
点検結果データベース１１ｅは、点検結果に関する情報を有する。点検結果に関する情報には例えば、点検を実施した点検作業者によって点検シート１５に入力された数値や選択項目などの情報が含まれる。
【００２３】
≪利用者特定手段≫
利用者特定手段１３は、点検作業者が携帯端末５や管理用端末７にて設備点検支援システム１の利用を開始する際、ＩＤとパスワードの入力を求める。ＩＤとパスワードが入力されると、サーバ側記憶手段１１内の担当者データベース１１ａ内に登録されている担当者情報と入力された情報を比較する。入力された情報と、担当者データベース１１ａの情報が一致した場合、システム利用者を該当するＩＤで登録されている担当者であると特定し、設備点検支援システム１の利用を可能とする。
【００２４】
≪点検シート周期管理手段≫
点検シート周期管理手段１７は、点検シート１５ごとに、点検履歴データベース１１ｄに記憶されている該当する点検シート１５のアップデート日時の最終ログと、点検データベース１１ｃに記憶されている該当する点検の点検周期に基づいて次回点検日を計算する。具体的には、例えば、点検周期が３０日である点検Ａに対し、点検Ａの点検結果が入力された点検シート１５（以下点検シートＡとする）が、最後にサーバ３にアップデートされた日時の３０日後を次回点検日とする。
【００２５】
＜点検シート＞
点検シート１５は、点検作業者が携帯端末５にて点検結果を入力し、点検結果をサーバ３に保存、蓄積するために使用されるものであり、従来例における紙のチェックシートの代替となるものである。点検作業者は点検実施前にサーバ３から携帯端末５へ該当する点検シート１５をダウンロードし、携帯端末５に点検シート１５を表示させながら点検を実施する。
【００２６】
＜携帯端末＞
携帯端末５は、点検作業者が工場等の設備１９を点検する際に持ち歩くことができる携帯用端末であり、例えばスマートフォンのような低価格で入手できる高機能な汎用機を利用することができる。
携帯端末５は、タッチパネルやカメラなど、点検作業者が数値や画像などの情報を入力可能な入力手段２１と、モニタなど、システムの利用に必要な情報を画面表示可能な表示手段２３と、ネットワークを介してサーバ３とデータ通信を行う携帯端末側データ通信手段２５と、サーバ３からダウンロードしたデータ、入力手段２１から入力されたデータを一時的に記憶する携帯端末側記憶手段２７と、サーバの点検シート周期管理手段の情報に基づいて、実施の優先度別に点検シートを色分けして一覧表示する点検シート一覧表示手段２９と、携帯端末側記憶手段２７に記憶されているデータベースから必要なデータを抽出する検索手段３１と、携帯端末側記憶手段２７に記憶されている点検シート１５を抽出して表示し、点検作業者が点検結果を入力可能な点検シート表示・入力手段３３と、携帯端末側記憶手段２７に記憶されている点検結果データを抽出して点検結果の経時変化を示す経時変化グラフ３５を作成して表示する経時変化グラフ作成・表示手段３７とを備えている。
以下、携帯端末５の各構成について説明する。
【００２７】
≪携帯端末側データ通信手段≫
携帯端末側データ通信手段２５は、携帯端末５がサーバ３とネットワークを介して行うデータ通信を制御するものである。
【００２８】
≪携帯端末側記憶手段≫
携帯端末側記憶手段２７は、サーバ３からダウンロードされる設備点検に必要なデータや、携帯端末５にて点検結果が入力された点検シート１５などを一時的に記憶するものである。
【００２９】
≪検索手段≫
検索手段３１は、携帯端末側記憶手段２７に記憶されている点検シート１５の関連データから、必要なデータを抽出するものである。
【００３０】
≪点検シート一覧表示手段≫
点検シート一覧表示手段２９は、図２に示すとおり、システムにログインした点検作業者の携帯端末５上に、担当する点検の点検シート１５を一覧表示するものである。その際、サーバ３の点検シート周期管理手段１７の情報に基づいて、実施の優先度別に色分けして表示する。
色分け表示の具体的な例について以下に説明する。
【００３１】
携帯端末５の点検シート一覧表示手段２９は、サーバ３の点検シート周期管理手段１７より、点検シート１５ごとの次回点検日情報を受け取る。
点検作業者がシステムログインした日時が次回点検日を過ぎている場合、次回点検日までの残日数が予め設定した所定日数より短い場合、次回点検日までの残日数が予め設定した所定日数より長い場合の各場合について、携帯端末５に点検シート一覧を表示する際に色を分けて表示する。
【００３２】
具体例として、点検Ａに対し、色分け表示をする所定日数を２日として設定した場合について説明する。携帯端末５に表示される点検シート一覧画面において、点検作業者がシステムログインした日時が点検Ａの次回点検日を超えていれば点検シートＡの表示が例えば赤色に表示される。次回点検日までの残日数が２日以下に迫っている場合は、点検シートＡの表示が例えば黄色に表示される。残日数が３日以上ある場合には点検シートＡの表示が例えば緑色に表示される。
【００３３】
ほかの点検シート１５についても同様に表示色が決定され、点検シート一覧では実施の優先度別に色分け表示がなされる。
点検作業者は一覧の中から点検シート１５を選択することで、該当する点検シート１５を携帯端末５内にダウンロードすることができる。
【００３４】
上記のように次回点検日までの残日数または時間に基づいた色分け表示により、周期遅れまたは周期遅れとなる可能性がある点検について担当者に注意喚起を行うことで、点検一覧を表示した時点で担当者は優先的に実施するべき点検を視覚的に知ることができ、点検の未実施や、周期遅れを防ぐことができる。
なお、上記では３種類の色分け表示を行う例を述べたが、色分けの種類、色はこの限りではない。
【００３５】
≪点検シート表示・入力手段≫
点検シート表示・入力手段３３は携帯端末側記憶手段２７に記憶されている点検シート１５を抽出して携帯端末５の表示手段２３に表示する（図３参照）。点検作業者は点検シート１５に表示されている点検結果入力ボタン３９を選択することにより、点検結果を点検シート１５に入力することができる。入力方法はテキスト入力、数値入力、選択入力、複数選択入力、画像入力などがあり、点検項目に合わせて設定されている。
【００３６】
点検シートの下部には図面参照ボタン４１が配置されている。点検作業者が図面参照ボタン４１を選択することで、表示中の点検シート１５が対象としている設備１９に関する図面が表示手段２３に表示され、点検作業に必要な図面を適宜参照することができる。
【００３７】
≪経時変化グラフ作成・表示手段≫
経時変化グラフ作成・表示手段３７は、任意の点検項目における経時変化グラフ３５を作成し、携帯端末５の表示手段２３に表示するものである。経時変化グラフ３５とは、点検シート１５内の一点検項目について、横軸を日付、縦軸を点検結果としたグラフであり、携帯端末側記憶手段２７内にある点検シート１５の関連データに基づいて作成される。
その際、サーバ３から事前にダウンロードした過去の点検結果データを使用して経時変化グラフ３５を作成するが、さらに点検作業者が入力した最新の点検結果も過去の点検結果データに加えて経時変化グラフ３５を作成してもよい。
【００３８】
これにより点検作業者は過去の点検結果の経過を視覚的に把握することができる。点検作業者は点検シート１５に表示されている経時変化グラフ表示ボタン４３を選択することにより、経時変化グラフ作成・表示手段３７によって作成された経時変化グラフ３５を携帯端末５に表示させることができる。
経時変化グラフ３５について図４、図５を用いて説明する。
【００３９】
図４は点検結果が数値で入力される点検項目の経時変化グラフ３５であり、時系列における数値的状態変化を知ることができる。これにより、点検数値の上昇傾向や下降傾向などを点検作業中に知ることができ、設備１９の状態傾向に合わせた、より柔軟な点検が可能となる。
【００４０】
図５は点検結果が選択式（◎、○、×の３択など）で入力される点検項目の経時変化グラフ３５であり、時系列における選択的状態変化が確認できる。これにより、異常値の結果が一時的なものであるのか、頻発して起きているのか、頻発しているのであれば、いつから発生しているのかなどを点検作業中に知ることができ、設備１９の状態傾向に合わせた、より柔軟な点検が可能となる。
【００４１】
経時変化グラフ３５上には予め設定された正常範囲の上下限を示す閾値（図４、図５の破線）が表示されている。これにより、点検結果が正常範囲内であっても、閾値間近であるのか、安定運用中であるのかを点検作業中に迅速に判断することが可能となる。
【００４２】
また閾値を超える時期、言い換えれば設備故障に至る時期を予測することで、工事や修理等の計画を事前に立てることができ、設備故障前に対応することができる。
【００４３】
＜管理用端末＞
管理用端末７は、点検作業者や点検管理者が事務所内で点検の実施状況を管理するために使用する端末であり、例えばパーソナルコンピュータのような低価格で入手できる高機能な汎用機を利用することができる。
管理用端末７では、点検計画に基づき、点検項目や点検周期などの、点検に関する設定を行うことができ、点検の新規追加や、既存点検の内容変更などの編集が可能である。
【００４４】
また、管理用端末７では計画されている点検の実施状況の一覧を参照することができる。点検周期に対して遅れがある点検が確認できるため、点検管理者は迅速に点検実施の指示を行うことができる。
【００４５】
さらにまた、実施された点検に関しては点検結果の一覧を参照することもできる。
点検項目がすべて正常であった点検、点検項目に異常があった点検を一覧表示で把握することができ、異常があった点検に関しては、異常に対する対処の実施有無を確認し、管理用端末７にて管理することができる。これにより、点検によって確認された異常に対する対処の未実施を防ぐことができる。
【００４６】
上記のように構成された設備点検支援システム１を利用した点検方法の一例を、図６を用いて説明する。
まず、点検作業者は携帯端末５にて、設備点検支援システム１にログインするためのログイン情報を入力する（Ｓ１）。サーバ３の利用者特定手段１３は携帯端末５から得られた情報に基づき、サーバ３の担当者データベース１１ａから設備点検支援システム１の利用者を特定する（Ｓ３）。特定ができると設備点検支援システム１の利用が可能となり、点検シート周期管理手段１７によって各点検における次回点検日が計算される（Ｓ５）。点検シート一覧表示手段２９は、携帯端末５に点検作業者が担当する点検の点検シート一覧を表示する。その際、点検シート周期管理手段１７より取得した情報に基づき、ログイン日時が次回点検日を超えている点検（周期遅れ）は赤色、ログイン日から次回点検日までの残日数が予め設定された所定日数よりも短い点検（周期遅れ間近）は黄色、それ以外の点検は緑色に色分けして表示される（Ｓ７）。
【００４７】
点検作業者は優先的に実施するべき点検を判断し、実施する点検の項目を選択することで（Ｓ９）、該当する点検シート１５をサーバ３から携帯端末５にダウンロードする。その際、該当する点検に関連するデータについても、サーバ３から携帯端末５にダウンロードする（Ｓ１１）。その後、点検作業者は点検対象となる設備１９が設置されている場所に移動し、点検を開始する（Ｓ１３）。
【００４８】
点検シート表示・入力手段３３はダウンロードされた点検シート１５を携帯端末５の表示手段２３に表示する（Ｓ１５）。点検項目がひとつ点検完了するごとに、携帯端末５に表示される点検シート１５の該当する項目の点検結果入力ボタン３９を選択し、点検結果を入力する（Ｓ１７）。点検作業中、過去の点検結果を参照したい場合には、点検作業者は該当する項目の経時変化グラフ表示ボタン４３を選択する（Ｓ１７ａ）。
この場合、経時変化グラフ表示ボタン４３を選択することが、本発明における経時変化グラフ３５を作成して表示する「予め設定した条件」に相当する。
【００４９】
携帯端末５の経時変化グラフ作成・表示手段３７は経時変化グラフ表示ボタン４３の指示を受け、該当する項目の点検結果データを携帯端末側記憶手段２７内の点検シート１５関連データから取得し、横軸を日付、縦軸を点検結果とした経時変化グラフ３５を作成し、携帯端末５の表示手段２３に表示させる（Ｓ１７ｂ）。
【００５０】
なお、点検作業者が入力した点検結果が予め設定された正常範囲に含まれない値であった場合には、経時変化グラフ作成・表示手段３７は経時変化グラフ表示ボタン４３の指示がなくとも、該当する項目の点検結果データを携帯端末側記憶手段２７内の点検シート１５関連データから取得し、経時変化グラフ３５を作成、表示するようにしてもよい。
この場合、点検結果が予め設定された正常範囲に含まれない値であることが、本発明における経時変化グラフ３５を作成して表示する「予め設定した条件」に相当する。
【００５１】
また、点検作業者が入力した点検結果が予め設定された正常範囲に含まれる値であっても、次回点検日には正常範囲から逸脱すると予測される場合には、上記と同様に経時変化グラフ３５を作成、表示するようにしてもよい。
この場合、次回点検日に点検結果が正常範囲から逸脱すると予測されることが、本発明における経時変化グラフ３５を作成して表示する「予め設定した条件」に相当する。
【００５２】
次回点検日に点検結果が正常範囲から逸脱すると予測する方法としては、前回の点検結果の数値に対する入力した点検結果の数値の増減値を計算し、入力した点検結果にその増減値を加減した場合を次回点検日の点検結果と仮定し、正常範囲に含まれるか否かを判断する方法がある。
または、前回の点検結果の数値に対する増減値に代えて、入力した点検結果を含む過去の点検結果複数回分の増減値を平均した値としてもよい。
【００５３】
点検作業者はすべての項目について点検結果を点検シート１５に入力し終えたら、点検を終了し（事務所に移動して）（Ｓ１９）、点検シート１５をサーバ３にアップデートする（Ｓ２１）。アップデートされた点検シート１５に入力された点検結果は、サーバ側記憶手段１１の点検結果データベース１１ｅに保存される。点検の終了により、携帯端末側記憶手段２７に一時保存されていたデータは削除される。
【００５４】
以上のように、点検作業者の携帯する携帯端末５に経時変化グラフ３５を表示できるようにしたことで、過去の点検結果の傾向を点検作業中に知ることができ、点検作業者が毎回同じでない場合でも設備１９の状態傾向に合わせた、より柔軟な点検が可能となる。
また、経時変化グラフ３５上に正常範囲の上下限を示す閾値が表示されることにより、点検結果が正常範囲内であっても、閾値間近であるのか、安定運用中であるのかを点検作業中に迅速に判断することができ、さらに設備故障に至る時期を予測することで、工事や修理等の計画を故障発生前に立てることができる。
【００５５】
また、点検開始前に点検シート一覧を表示した時点で、点検実施の優先度別に色分け表示することにより、点検作業者は優先的に実施するべき点検を視覚的に知ることができ、点検の未実施や、周期遅れを防ぐことができる。
【００５６】
本実施の形態は管理用端末７を備えているので、設備点検支援システム１を用いた点検の管理方法の一例を図７を用いて説明する。
まず、点検管理者は管理用端末７にて設備点検支援システム１にＩＤとパスワードを入力してログインする（ＭＳ１）。携帯端末５使用時と同様に、管理用端末７から得られた情報に基づき、サーバ３の担当者データベース１１ａから設備点検支援システム１の利用者を特定し、特定ができたら設備点検支援システム１の利用が可能となる。
【００５７】
点検管理者は管理用端末７に点検結果一覧を表示し、点検結果に異常のある点検があるかを確認する（ＭＳ３）。異常表示のある点検については異常項目の一覧を表示する（ＭＳ５）。異常の内容を確認し、対処を記入する（ＭＳ７）。記入した対処が実施済の場合は対処のステータスを「完」（ＭＳ９）、未実施の場合は「未完」とする（ＭＳ１１）。異常のあるすべての点検項目に対して、対処のステータスを入力し、点検結果の異常確認を完了する。対処のステータスが「未完」の異常項目は引き続き対処管理を行う。
【００５８】
続いて点検管理者は点検結果一覧より、点検結果に周期遅れのある点検があるかを確認する。周期遅れのある点検については点検の内容を確認し、点検の実施を急ぐ場合は点検実施の指示や、点検周期の見直しを行う場合は点検周期の再設定を行うなどの点検計画を行う（ＭＳ１３）。異常があった点検や周期遅れのある点検について確認が完了したら必要に応じて情報を印刷し点検管理を終了する（ＭＳ１５）。
【００５９】
以上のように、点検項目に異常があった点検に関して、異常に対する対処の実施有無を管理用端末７で管理できるようにしたことで、点検によって確認された異常に対する対処の未実施を防ぐことができる。
また、点検の実施状況を参照できるようにしたことで、点検周期に対して遅れがある点検を確認でき、点検管理者は迅速に点検実施の指示を行うことができる。
【００６０】
なお、上述した実施の形態は設備点検を行う場所に無線ネットワーク環境が整っていない場合でも実施可能な形態を例に上げているが、設備点検を行う場所に携帯端末５とサーバ３が随時通信可能な無線ネットワーク環境が整っている場合には、点検シート１５をダウンロードする際に該当する点検に関連するデータをサーバ３から携帯端末５にダウンロードせず、随時サーバ３に通信することでデータを取得するようにしてもよい。
【符号の説明】
【００６１】
１  設備点検支援システム
３  サーバ
５  携帯端末
７  管理用端末
９  サーバ側データ通信手段
１１  サーバ側記憶手段
１１ａ  担当者データベース
１１ｂ  設備データベース
１１ｃ  点検データベース
１１ｄ  点検履歴データベース
１１ｅ  点検結果データベース
１３  利用者特定手段
１５  点検シート
１７  点検シート周期管理手段
１９  設備
２１  入力手段
２３  表示手段
２５  携帯端末側データ通信手段
２７  携帯端末側記憶手段
２９  点検シート一覧表示手段
３１  検索手段
３３  点検シート表示・入力手段
３５  経時変化グラフ
３７  経時変化グラフ作成・表示手段
３９  点検結果入力ボタン
４１  図面参照ボタン
４３  経時変化グラフ表示ボタン
【図１】
2020038543.tif 000003
【図２】
2020038543.tif 000004
【図３】
2020038543.tif 000005
【図４】
2020038543.tif 000006
【図５】
2020038543.tif 000007
【図６】
2020038543.tif 000008
【図７】
2020038543.tif 000009